(57)【要約】【課題】押しボタン型のメインスイッチを備えた電気かみそりにおいて、スイッチボタンの操作しやすさと、誤作動の防止とを同時に実現する。【解決手段】本体ケース１の側面に押しボタン型のメインスイッチ１５を配置する。メインスイッチ１５は、スイッチボタン２０と、スイッチボタン２０を復帰付勢する強弾性の第１ばね２１、および弱弾性の第２ばね２２と、本体ケース１内に配置したスイッチユニット２３とを含む。スイッチボタン２０の内面一側には、スイッチユニット２３を切り換え操作する操作片２８を設ける。操作片２８を含むスイッチボタン２０の一側半部は、弱弾性の第２ばね２２で復帰付勢させ、残る他側半部は、強弾性の第１ばね２１で復帰付勢させる。以て、スイッチボタン２０の全体を押し込み操作したときと、一側半部を押し込み操作する時の操作抵抗を大小に異ならせて、操作のしやすさと、誤作動の防止とを同時に実現する。【選択図】図１
2005312530.tif 000002
【特許請求の範囲】
【請求項１】
本体ケース（１）の上部にかみそりヘッド（２Ｂ）を配置してある電気かみそりであって、
本体ケース（１）の側面にモーター（８）への通電状態を切り換え操作する押しボタン型のメインスイッチ（１５）が配置されており、
メインスイッチ（１５）は、本体ケース（１）に開口したスイッチ窓（２９）で出没自在に支持されるスイッチボタン（２０）と、スイッチボタン（２０）の内面側に配置されて、スイッチボタン（２０）を待機位置へ向かって復帰付勢する強弾性の第１ばね（２１）、および弱弾性の第２ばね（２２）と、本体ケース（１）内に配置したスイッチユニット（２３）とを含み、
スイッチボタン（２０）の内面一側には、スイッチユニット（２３）を切り換え操作する操作片（２８）が設けられており、
操作片（２８）を含むスイッチボタン（２０）の一側半部が弱弾性の第２ばね（２２）で復帰付勢され、残る他側半部が強弾性の第１ばね（２１）で復帰付勢されていることを特徴とする電気かみそり。
【請求項２】
スイッチユニット（２３）と操作片（２８）との間が、ケース本体（１）に装着したスイッチパッキン（２４）で水密状に封止されており、
スイッチパッキン（２４）が、弱弾性の第２ばね（２２）を兼ねている請求項１記載の電気かみそり。
【請求項３】
強弾性の第１ばね（２１）が、スイッチボタン（２０）を復帰付勢するばね腕（３４）と、本体ケース（１）に固定される装着座（３５）とを含んで、ばね線材とばね板材のいずれかひとつを素材にして形成されている請求項１記載の電気かみそり。
【請求項４】
操作片（２８）を含むスイッチボタン（２０）の一側半部の周縁が、曲率半径の小さな湾曲線で形成され、他側半部の周縁が、曲率半径の大きな湾曲線ないし直線で形成されている請求項１記載の電気かみそり。
【請求項５】
操作片（２８）を含むスイッチボタン（２０）の一側半部と弱弾性の第２ばね（２２）とが、本体ケース（１）の側面の前側に配置されており、
スイッチボタン（２０）の他側半部と強弾性の第１ばね（２１）とが、本体ケース（１）の側面の後ろ側に配置されている請求項１記載の電気かみそり。
【請求項６】
スイッチボタン（２０）の縦中心軸（Ｐ２）が、本体ケース（１）の中心軸線（Ｐ１）に対してケース後ろ側へ傾斜している請求項１記載の電気かみそり。
【請求項７】
操作片（２８）を含むスイッチボタン（２０）の一側半部の表面に、滑止め（３０）が形成されている請求項１記載の電気かみそり。
【請求項８】
本体ケース（１）の側面上部にスイッチボタン（２０）が配置されており、
スイッチボタン（２０）より下方の本体ケース（１）の側面にグリップピース（１ｃ）が配置されている請求項１記載の電気かみそり。
【請求項９】
本体ケース（１）の上部寄りの左右両側に、他の側壁部分より幅狭のくびれ部（Ｃ）が形成されており、
くびれ部（Ｃ）の凹み位置にスイッチボタン（２０）が配置されている請求項１記載の電気かみそり。
【請求項１０】
本体ケース（１）の前面上部に、モーター（８）の運転状態を発光表示する表示具（１１）が配置されており、
本体ケース（１）における表示具（１１）の上下位置が、スイッチボタン（２０）の上下位置とほぼ同じに設定してある請求項１記載の電気かみそり。
【発明の詳細な説明】
【技術分野】
【０００１】
本発明は、押しボタン型のメインスイッチを備えた電気かみそりに関する。
【背景技術】
【０００２】
本発明に関して、電気かみそりのメインスイッチを押しボタン型のスイッチにすることは特許文献１に公知である。そこでは、本体ケースの前面上部にメインスイッチが配されている。スイッチの配置位置に関して、本体ケースの側面上部にメインスイッチを配置することは特許文献２に公知である。但し、この場合のメインスイッチはスライドノブ型のスイッチで構成してある。
【０００３】
【特許文献１】特開２００２−３２５９８４号公報（段落番号００３１、図２）
【特許文献２】特開２００２−１３６７８０号公報（段落番号００２３、図５）
【発明の開示】
【発明が解決しようとする課題】
【０００４】
上記のように、電気かみそりのメインスイッチは、概ね押しボタン型とスライドノブ型とに大別されるが、各スイッチ構造には相反する特長と欠点とがある。押しボタン型のスイッチは切り換え操作が簡単である反面、例えば電気かみそりを携行するような場合に、他物がメインスイッチに接してオン状態に切り換わり、あるいは誤ってスイッチボタンに触れてスイッチ状態が切り替わりやすい欠点がある。多くの場合は、先のようなメインスイッチの誤作動を防ぐためにロック機構を設けて、ロック機構をロック解除操作してからでないと、メインスイッチをオン操作できないようにしている。
【０００５】
しかし、ロック機構を設けると、スイッチの周辺構造が複雑になり、組み立ての手間が増えるのを避けられず、電気かみそりの全体コストが高く付く。ロック機構を用いる代わりに、押しボタン型スイッチの操作抵抗を強く設定することにより、スイッチの誤作動をある程度は防ぐことができる。しかし、より大きな力でスイッチを切り換え操作しなければならないので、切り換え操作しやすい押しボタン型のスイッチの特長が損なわれてしまう。
【０００６】
本発明の目的は、操作しやすさと、誤作動の防止とを同時に実現できる、押しボタン型のスイッチ構造を備えた電気かみそりを提供することにある。本発明の目的は、ロック機構を付加する必要もなくメインスイッチの誤作動を防止でき、その分だけメインスイッチとその周辺構造とを簡素化して全体コストを削減できる電気かみそりを提供することにある。本発明の目的は、使用者が明確な切り換え意図を持って操作しない限りはスイッチ状態を切り換えることができず、信頼性の高い押しボタン型のスイッチ構造を提供することにある。
【課題を解決するための手段】
【０００７】
本発明の電気かみそりは、本体ケース１の上部にかみそりヘッド２Ｂを配置してある。本体ケース１の側面にモーター８への通電状態を切り換え操作する押しボタン型のメインスイッチ１５を配置する。メインスイッチ１５は、本体ケース１に開口したスイッチ窓２９で出没自在に支持されるスイッチボタン２０と、スイッチボタン２０の内面側に配置されて、スイッチボタン２０を待機位置へ向かって復帰付勢する強弾性の第１ばね２１、および弱弾性の第２ばね２２と、本体ケース１内に配置したスイッチユニット２３とを含む。スイッチボタン２０の内面一側には、スイッチユニット２３を切り換え操作する操作片２８を設ける。操作片２８を含むスイッチボタン２０の一側半部は、弱弾性の第２ばね２２で復帰付勢し、残る他側半部は強弾性の第１ばね２１で復帰付勢することを特徴とする。
【０００８】
スイッチユニット２３と操作片２８との間は、ケース本体１に装着したスイッチパッキン２４で水密状に封止して、スイッチパッキン２４が弱弾性の第２ばね２２を兼ねるようにすることができる。
【０００９】
強弾性の第１ばね２１は、スイッチボタン２０を復帰付勢するばね腕３４と、本体ケース１に固定される装着座３５とを含み、ばね線材とばね板材のいずれかひとつを素材にして形成することができる。
【００１０】
操作片２８を含むスイッチボタン２０の一側半部の周縁は、曲率半径の小さな湾曲線で形成し、他側半部の周縁は、曲率半径の大きな湾曲線ないし直線で形成することができる。
【００１１】
操作片２８を含むスイッチボタン２０の一側半部と弱弾性の第２ばね２２とは、本体ケース１の側面の前側に配置し、スイッチボタン２０の他側半部と強弾性の第１ばね２１とは、本体ケース１の側面の後ろ側に配置することができる。
【００１２】
スイッチボタン２０の縦中心軸Ｐ２は、図５に示すごとく本体ケース１の中心軸線Ｐ１に対してケース後ろ側へ傾斜させることができる。
【００１３】
操作片２８を含むスイッチボタン２０の一側半部の表面には、滑止め３０を形成することができる。
【００１４】
本体ケース１の側面上部にスイッチボタン２０を配置し、スイッチボタン２０より下方の本体ケース１の側面にグリップピース１ｃを配置することができる。
【００１５】
本体ケース１の上部寄りの左右両側には、他の側壁部分より幅狭のくびれ部Ｃを形成して、くびれ部Ｃの凹み位置にスイッチボタン２０を配置することができる。
【００１６】
本体ケース１の前面上部に、モーター８の運転状態を発光表示する表示具１１を配置し、本体ケース１における表示具１１の上下位置を、スイッチボタン２０の上下位置とほぼ同じに設定することができる。
【発明の効果】
【００１７】
本発明のスイッチボタン２０は、弾性力が大小に異なる２種のばね２１・２２で待機位置へ向かって復帰付勢するようにした。具体的には、操作片２８を含むスイッチボタン２０の一側半部を弱弾性の第２ばね２２で復帰付勢し、残る他側半部を強弾性の第１ばね２１で復帰付勢した。
【００１８】
このように、弾性力が大小に異なる２種のばね２１・２２でスイッチボタン２０を復帰付勢するスイッチ構造によれば、スイッチボタン２０を押し込み操作するとき、主として弱弾性の第２ばね２２で支持される側、つまり操作片２８を含む側のボタン面が先に傾きながら押し込まれるので、本体ケース１内のスイッチユニット２３を操作片２８で簡単にオン操作できる。しかし、スイッチボタン２０を均等に押し込み操作する場合には、強弾性の第１ばね２１と弱弾性の第２ばね２２とを同時に弾性変形させる必要があるため、大きな操作抵抗を受ける。
【００１９】
上記のように、本発明のメインスイッチ１５は、操作片２８を含む側のボタン面を押し込み操作する場合と、残る半分のボタン面、あるいはスイッチボタン２０の全体を押し込み操作する場合とで、スイッチボタン２０の操作抵抗が異なるので、使用者が明確な切り換え意図を持ってスイッチボタン２０を押し込み操作する限りは、簡単にしかも確実にスイッチ状態を切り換えることができる。その一方で、誤ってスイッチボタン２０に接触するような場合には、スイッチ状態が簡単に切り換わるのをよく防止できる。
【００２０】
したがって、操作しやすさと誤作動の防止とを同時に実現できる、信頼性に優れた押しボタン型のスイッチ構造を備えた電気かみそりが得られる。別途、ロック機構を付加する必要もなくメインスイッチ１５の誤作動をよく防止できるので、その分だけメインスイッチ１５とその周辺構造を簡素化して電気かみそりの全体コストの削減化が図れる。本体ケース１の側面にメインスイッチ１５を配置するので、ひげそり時に誤ってスイッチボタン２０に触って、スイッチ状態が切り換るのをよく防止できる。
【００２１】
スイッチユニット２３と操作片２８との間に設けたスイッチパッキン２４を利用して弱弾性の第２ばね２２を構成するスイッチ構造によれば、別に弱弾性の第２ばね２２を設ける必要がないので、その分だけメインスイッチ１５の構造が簡素化し、電気かみそりの製造に要するコストを削減化できる。
【００２２】
スイッチボタン２０を復帰付勢するばね腕３４と、本体ケース１に固定される装着座３５とを備えた強弾性の第１ばね２１が、ばね線材やばね板材などで構成されていると、例えば第１ばね２１がコイルばねで形成してある場合に比べて、本体ケース１内における第１ばね２１の占有空間を小さくできるので、その形状や配置形態の自由度が向上し、メインスイッチ１５の全体構造をコンパクト化できる。
【００２３】
スイッチボタン２０は、図９に示すように本体ケース１を握る手の親指で押し込み操作するが、操作片２８を含むスイッチボタン２０の一側半部の周縁が曲率半径の小さな湾曲線で形成され、他側半部の周縁が曲率半径の大きな湾曲線ないし直線で形成されていると、親指で押される側のボタン表面の面積を、他方のボタン表面の面積に比べて充分に大きくできるので、親指によるボタン操作が確実容易なものとなる。
【００２４】
操作片２８を含むスイッチボタン２０の一側半部と弱弾性の第２ばね２２とが、本体ケース１の側面の前側に配され、スイッチボタン２０の他側半部と強弾性の第１ばね２１とが、本体ケース１の側面の後ろ側に配されていると、右手で本体ケース１を握りしめるだけで、とくに意識をする必要もなく自然に親指をスイッチボタン２０の外面にあてがうことができるうえ、親指の力を出しやすい方向に弱弾性の第２ばね２２を位置させて、スイッチボタン２０の切り換え操作を適確に行うことができる。
【００２５】
スイッチボタン２０の縦中心軸Ｐ２が、図５に示すように、本体ケース１の中心軸線Ｐ１に対してケース後ろ側に傾斜していると、縦中心軸Ｐ２が中心軸線Ｐ１上、あるいは中心軸線Ｐ１より前側へ傾斜している場合に比べて、親指によるスイッチボタン２０の押し込み操作を無理なく行え、さらに自然な握り姿勢でスイッチボタン２０を楽に押し込み操作できる。
【００２６】
操作片２８を含むスイッチボタン２０の一側半部の表面に、滑止め３０が形成されていると、スイッチボタン２０を押し込み操作するとき、その表面にあてがった親指が滑るのを確実に防止して、スイッチ操作をさらに確実化できる。
【００２７】
スイッチボタン２０より下方の本体ケース１の側面にグリップピース１ｃが配されていると、スイッチボタン２０を親指で押し込み操作するとき、親指の付根付近の手のひらをグリップピース１ｃで受け止めて、手のひらが滑るのを防止できるので、親指によるスイッチ切り換え操作をさらに適確に行える。
【００２８】
本体ケース１に設けたくびれ部Ｃの凹み位置にスイッチボタン２０が配置されていると、くびれ部Ｃに連続する上下のケース壁で他物を受け止めることができるので、他物がスイッチボタン２０に直接当たるのをよく防止し、メインスイッチ１５が誤って切り換え操作されるのを抑止できる。
【００２９】
本体ケース１の前面上部に設けた表示具１１の上下位置が、スイッチボタン２０の上下位置とほぼ同じに設定されていると、本体ケース１を片手で握りしめた状態において、表示具１１が手の平や指で覆われるのを避けることができるうえ、スイッチボタン２０を切り換え操作する親指の近傍位置において表示具１１を発光表示できるので、表示具１１を確実に視認できるうえ、運転モードを確認しながら電気かみそりを使用できる。
【発明を実施するための最良の形態】
【００３０】
（実施例）  図１ないし図１０は本発明に係る電気かみそりの実施例を示す。図２において、電気かみそりは、本体ケース１と、本体ケース１に対して差し込み装填される作動ユニット２とで構成されている。
【００３１】
作動ユニット２は、下半側の電装品ユニット２Ａと、その上部に設けられるかみそりヘッド２Ｂとからなり、電装品ユニット２Ａが本体ケース１内に収容されている。電装品ユニット２Ａはプラスチック成形品からなる内フレーム３と、内フレーム３に組み付けられる回路基板４、および２次電池５などを含む。かみそりヘッド２Ｂには、ロータリー式の内刃６と、その外刃７と、内刃６を駆動するモーター８と、モーター動力を内刃６に伝導する動力伝導機構とが組み込まれている。かみそりヘッド２Ｂは、内フレーム３で前後、左右、上下の全方位方向へ傾動可能に浮動支持されている。
【００３２】
図３および図４において本体ケース１は、上面のみが開口する主ケース１ａと、主ケース１ａの左右にそれぞれ装着固定される一対の装飾ケース１ｂ、および一対のグリップピース１ｃと、主ケース１ａの前面上下に装着固定される一対の表示パネル１ｄなどで構成されている。
【００３３】
主ケース１ａの前面上部と、前面下部寄りには、モーター８の運転状態を発光表示する第１表示具（表示具）１１と、第２表示具（表示具）１２とが配置されている。また、主ケース１ａの前面下部には、２次電池５が充電状態にあること、および電池残量を発光表示する充電表示具１３が配されている。これらの表示具１１・１２・１３の発光表示を視認可能とするために、表示具１１・１２・１３の外面を覆う先の表示パネル１ｄは、それぞれ透明プラスチック材で形成されている。
【００３４】
モーター８への通電状態を切り換えるために、本体ケース１の一側上部に押しボタン型のメインスッチ１５を設け、本体ケース１の前面下部、詳しくは表示パネル１ｄ・１ｄ間に、モーター８の運転モードを切り換える押しボタン型の選択スイッチ１６を設けてある。
【００３５】
図４において本体ケース１の上端寄りの左右両側には、他の側壁部分より幅狭のくびれ部Ｃを形成してあり、このくびれ部Ｃの最も凹んだ位置にメインスイッチ１５が配置されている。本体ケース１の後面にはきわぞり刃ユニット９を配置してある。
【００３６】
図１においてメインスイッチ１５は、スイッチボタン２０と、スイッチボタン２０を待機位置へ向かって復帰付勢する強弾性の第１ばね２１、および弱弾性の第２ばね２２と、内フレーム３の側面に固定されるスイッチユニット２３と、スイッチパッキン２４と、スイッチパッキン２４を固定する押さえリング２５とからなる。
【００３７】
スイッチボタン２０は花弁形のプラスチック成形品からなり、図８に示すごとくその周囲３箇所に受爪２７を突設し、内面一側にスイッチユニット２３を切り換え操作するピン状の操作片２８を一体に突設してなる。本体ケース１を片手で握りしめた状態において、表示具１１が手の平や指で覆われるのを避け、さらに、スイッチボタン２０を切り換え操作する親指の近傍位置において表示具１１を発光表示するために、先の表示具１１の上下位置は、スイッチボタン２０の上下位置とほぼ同じに設定してある。このように表示具１１のリング状の発光面１１ａの中心位置を、スイッチボタン２０の中心位置を通る水平周回線と、選択スイッチ１６の中心を通る垂直周回線との交差部分に位置させると、メインスイッチ１５、および選択スイッチ１６を操作する場合に、発光面１１ａを容易にしかも確実に視認できることとなる。
【００３８】
図６および図７においてスイッチボタン２０は、本体ケース１の装飾ケース１ｂに開口したスイッチ窓２９で出没自在に支持されており、先の受爪２７をスイッチ窓２９の開口内縁で受け止めることにより、スイッチボタン２０が待機位置を越えてケース外へ押し出されるのを規制している。待機位置に保持されたスイッチボタン２０の外面は、スイッチ窓２９の外開口縁より内側に位置する。他物がスイッチボタン２０に接触するのを極力避けるためである。
【００３９】
使用状態におけるスイッチボタン２０は、図９に示すように、本体ケース１を握る手の親指で押し込み操作するが、親指によるボタン操作を確実で簡便なものとするために、スイッチボタン２０の形状および配置形態を次のように設定した。
【００４０】
図５に示すように、操作片２８を含むスイッチボタン２０の一側半部の周縁形状は、曲率半径の小さな湾曲線で形成し、他側半部の周縁形状は、曲率半径の大きな湾曲線で形成する。また、スイッチボタン２０の縦中心軸Ｐ２は、本体ケース１の中心軸線Ｐ１に対してケース後ろ側へ傾斜させた。さらに、操作片２８を含むスイッチボタン２０の一側半部の表面に滑止め３０を形成した。この滑止め３０は、突起群や、凹部群、あるいは複数のリブ等でも構成できるが、この実施例では５個の凹部で滑止め３０を形成した。スイッチ窓２９の開口縁はスイッチボタン２０に向かって下り傾斜させるが、操作片２８を含むスイッチボタン２０の一側半部の周縁に臨む側の傾斜を緩やかにして、親指の押し込み動作がスイッチ窓２９の開口縁で邪魔されるのを抑止している。
【００４１】
図１および図８において第１ばね２１は、ばね板材を打ち抜いて形成してあり、上端に鉤形の押圧片３３が形成されたばね腕３４と、ばね腕３４の下端に連続する装着座３５とを一体に備えている。主ケース１ａの側面に形成した凹部３６の下部に装着座３５を溶着固定し、押圧片３３をスイッチボタン２０に押し当てることにより、第１ばね２１は主として操作片２８を含まないスイッチボタン２０の後側半部（他側半部）を待機位置へ向かって復帰付勢する。
【００４２】
図７に示すように、待機位置にあるスイッチボタン２０の操作片２８は、前記凹部３６の上側に通設した通口３８を介して主ケース１ａ内に入り込み、操作片２８の突端がスイッチユニット２３の接触子２３ａと対向している。
【００４３】
ゴム成形品からなるスイッチパッキン２４は、操作片２８と通口３８との間の隙間を水密状に封止するが、その弾性を利用してスイッチボタン２０を待機位置へ向かって復帰付勢することにより、スイッチパッキン２４が弱弾性の第２ばね２２を兼ねる。
【００４４】
スイッチパッキン２４は、操作片２８に外嵌する筒壁３９と、筒壁３９の周囲を同心状に囲む弾性筒壁４０と、弾性筒壁４０の内端から外側に張り出し形成したシール座４１とを一体に備えており、通口３８の開口周縁壁に接合したシール座４１を押さえリング２５で固定することにより通口３８を封止する。筒壁３９と弾性筒壁４０とは、操作片２８の突出基端側で繋がっており、スイッチボタン２０を僅かでも押し込み操作すると、弾性筒壁４０が弾性変形してスイッチボタン２０を待機位置へ向かって押し戻し操作する。スイッチパッキン２４（弱弾性の第２ばね２２）は、主として操作片２８を含むスイッチボタン２０の前側半部（一側半部）を待機位置へ向かって復帰付勢させるよう働く。
【００４５】
使用時には、図９に示すようにスイッチボタン２０を親指でオン操作するが、その前側半部に弱弾性の第２ばね２２を配し、後側半部に強弾性の第１ばね２１を配してあるので、主としてボタンの前側半部に押し込み力が集中するように操作することによって、スイッチボタン２０を簡便にオン操作できる。このとき、強弾性の第１ばね２１も弾性変形するが、その変形量は弱弾性の第２ばね２２の変形量に比べて小さい。スイッチボタン２０の全体を均等に押し込み操作する場合には、第１ばね２１を大きく弾性変形させる必要があるので、スイッチボタン２０の操作抵抗が充分に大きく、したがって他物がスイッチボタン２０に接触してオン状態に切り換わったり、あるいは誤ってスイッチボタン２０に触れてスイッチ状態が切り替わるなどの誤動作を解消できる。スイッチユニット２３の接触子２３ａは、ユニット内のばねで押し出し付勢してあり、その弾性力と第２ばね２２の弾性力との合計値は、第１ばね２１の弾性力より僅かに大きくなる。しかし、操作片２８と接触子２３ａとは隙間を介して対向しているので、スイッチボタン２０を押し込み操作するときの勢いで接触子２３ａを支障なく押し込み操作できる。
【００４６】
図１０はモーター８の運転状態を制御するための制御回路を示す。図中、符号５１は制御部（ＣＰＵ）であり、５２は負荷調整用の抵抗が組み込んである負荷検出回路、５３はモーターを駆動源とするバイブレーターである。制御部５１は、外部からの入力信号を受けてモーター８の運転状態を制御し、表示具１１・１２の点灯状態を切り換える。使用時にメインスイッチ１５をオン操作すると、オン信号を受けた制御部５１がモーター８を起動する。この状態で選択スイッチ１６をオン操作することにより、モーター８の運転モードをセンサーモード、マイルドモード、パワフルモード、ターボモードのうち、いずれかの運転モードに選択することができる。
【００４７】
センサーモードでは、モーター８の駆動回転数を髭の量、すなわちモーター８の負荷に応じて自動的に変更する。髭の量が多い場合には、モーター８をパワフルなモーター回転数（８３００ｒｐｍ）で駆動し、髭の量が少ない場合には、モーター８をマイルドなモーター回転数（７８００ｒｐｍ）で駆動する。
【００４８】
詳しくは、メインスイッチ１５のオン信号を受けた制御部５１は、負荷検出回路５２と直列接続したトランジスタやＦＥＴなどからなる第２スイッチ５５に駆動パルスを出力してモーター８を駆動する。このとき、負荷検出回路５２によって、モーター電流に比例して増減する電圧を、予め設定してある基準電圧と比較してモーター回転数を決定する。
【００４９】
モーター８に印加される電圧が基準電圧より高い場合、つまり切断すべき髭の量が多く、モーター８の負荷が大きい場合には、第２スイッチ５５にオン時間の長いデューティー比の駆動パルスを供給して、モーター８をパワフルな回転数（８３００ｒｐｍ）に増速する。逆に、モーター８に印加される電圧が基準電圧より低い場合、つまり、切断すべき髭の量が少なく、モーター８の負荷が小さい場合には、第２スイッチ５５にオン時間の短いデューティー比の駆動パルスを供給して、モーター８をマイルドな回転数（７８００ｒｐｍ）に減速する。
【００５０】
マイルドモードは、負荷の如何にかかわらず、モーター回転数をマイルドな回転数（７８００ｒｐｍ）に固定する運転モードである。同様にパワフルモードは、負荷の如何にかかわらず、モーター回転数をパワフルな回転数（８３００ｒｐｍ）に固定する運転モードである。
【００５１】
ターボモードを選択すると、制御部５１は、負荷検出回路５２と第２スイッチ５５とをバイパスする第１スイッチ５４に対して連続する信号を出力して、各運転モードのなかで最大の回転数（８８００ｒｐｍ）でモーター８を駆動する。第１スイッチ５４は、第２スイッチ５５と同様にトランジスタやＦＥＴなどで構成してある。
【００５２】
上記のような運転モードの違い応じて、表示具１１・１２の発光状態を変更する。第２表示具１２はセンサーモードの時に限って点灯し、他の運転モードでは消灯される。第１表示具１１は、電源がオンの時は常に点灯しているが、その発光色がマイルドモードと、パワフルモードと、ターボモードとでは異なる。
【００５３】
マイルドモードでは、青と緑のＬＥＤを点灯して発光色を水色とする。パワフルモードでは青のＬＥＤのみを点灯して発光色を青色とする。ターボモードでは、赤と緑のＬＥＤを点灯させて発光色をオレンジ色とする。なお、センサーモードにおいては、マイルドな回転数のときは、マイルドモードと同様の水色を発光し、パワフルな回転数のときは、パワフルモードと同様の青色を発光する。図４に示すように、表示具１１の外面を覆う表示パネル１ｄの発光面１１ａはリング状に形成してあり、表示具１２に対応する発光面は横長長方形状に形成してある。同様に表示具１３に対応する発光面は、横長長方形を多段状に並べて形成してある。表示具１１に対応するリング状の発光面１１ａで囲まれる中央部分は、光を透過しない塗膜によって覆われており、従って、表示具１１が発光する場合には、リング状の発光面１１ａのみが際立って表示光を照射することになる。
【００５４】
バイブレーター５３は、モーター８の負荷に応じて駆動されて、電気かみそりを振動させる。センサーモードにおいて、モーター８に印加される電圧が基準電圧より高い場合、つまりモーター８の負荷が大である場合には、大きな振動を発生し、モーター８に印加される電圧が基準電圧より低い場合、つまりモーター８の負荷が小である場合には、小さな振動を発生させる。つまり、バイブレーター５３は、モーター８の回転数や表示具１１の動きに同期して駆動させる。このように、センサーモードに限って髭の切断負荷に応じてバイブレーター５３を駆動することにより、電気かみそりの振動状況から、電気かみそりを握る手を通じて大まかな髭切断時の負荷状態、つまり髭の切断状況を知ることができる。なお、基準電圧を大小２つ設け、モーター８の負荷が大である場合には大きな振動、モーター８の負荷が中程度である場合には小さな振動、振動モーター８の負荷が無負荷（外刃７を肌に押し当てていない状態）の場合には作動を停止するよう細かく制御させてもよい。バイブレーター５３は、図４に示すように本体ケース１の内壁に当接する状態で取り付けられている。符号５６は充電スイッチであり、充電用アダプターの接続端子を本体ケース１の充電プラグに接続した状態において、オン状態に切り換わって２次電池５に充電電流を供給する。
【００５５】
上記の実施例では、スイッチパッキン２４を利用して第２ばね２２を構成したが、第１ばね２１と同様の板ばねで第２ばね２２を形成してもよい。第１ばね２１および第２ばね２２は、板ばね以外の金属ばね線材や、プラスチック製のばねで形成することができる。スイッチボタン２０は、その周縁上下に設けた軸を通る縦中心軸Ｐ２まわりに揺動自在に支持することができる。その場合には、スイッチボタン２０の前側半部を押し込み操作することにより、スイッチユニット２３を切り換えることができる。本発明でいう本体ケース１には、装飾ケース１ｂ以外にスイッチパネルも含まれる。上記の実施例では、運転モードの違いに応じて、表示具１１の発光色を変更したがその必要はなく、ターボ、パワフル、マイルドの各運転モードごとに異なる色のＬＥＤを点灯することができる。つまり、表示具１１は、隣接配置した発光色が異なる３個のＬＥＤで構成することができる。
【図面の簡単な説明】
【００５６】
【図１】メインスイッチの分解斜視図である。
【図２】本体ケースを壇面した状態で示す電気かみそりの分解正面である。
【図３】本体ケースの分解斜視図である。
【図４】電気かみそりの正面である。
【図５】電気かみそりの側面図である。
【図６】メインスイッチの縦断正面図である。
【図７】メインスイッチの横断平面図である。
【図８】メインスイッチの付勢構造を示す正面図である。
【図９】電気かみそりの使用状態を示す側面図である。
【図１０】電気かみそりの制御回路示すブロック図である。
【符号の説明】
【００５７】
１  本体ケース
２Ｂ  かみそりヘッド
８  モーター
１１  表示具
１５  メインスイッチ
２０  スイッチボタン
２１  第１ばね
２２  第２ばね
２３  スイッチユニット
２４  スイッチパッキン
２８  操作片
２９  スイッチ窓
３４  ばね腕
３５  装着座
【図１】
2005312530.tif 000003
【図２】
2005312530.tif 000004
【図３】
2005312530.tif 000005
【図４】
2005312530.tif 000006
【図５】
2005312530.tif 000007
【図６】
2005312530.tif 000008
【図７】
2005312530.tif 000009
【図８】
2005312530.tif 000010
【図９】
2005312530.tif 000011
【図１０】
2005312530.tif 000012